(57)【要約】【課題】物品を載置するための棚の取付位置を容易に変えられると共に、安定して棚板を固定する棚板の取付構造を提供する。【解決手段】支柱３２の側面に、棚受部材５が係止され、その棚受部材５に棚板４１が載置されて、棚板４１と棚受部材５とを抑える押えカバー２１が取り付けられる。押えカバー２１の固定突起部２８が、棚受部材５の第１挿入孔１１に挿入され、支柱３２の挿通孔３５を形成する上側壁部３７ａの壁面３８に当接して、棚受部材５の棚受係止突部８が下側壁部３７ｂから外れることが防止される。さらに押えカバー２１の棚板押え部２３によって棚板４５が押えられ、棚板４５が棚受部材５から外れることが防止される。【選択図】図８
2006345943.tif 000002
【特許請求の範囲】
【請求項１】
床面に立設され、上下方向に所定の間隔を隔てて形成された挿通孔を側面に有する複数の支柱と、
その支柱の前記挿通孔に挿通されてその挿通孔を形成する壁部に係止される棚受係止突部を裏面に有する縦片部と、その縦片部の下端に連なる横片部とによって断面略Ｌ字状に形成され、前記支柱に取り付けられる棚受部材と、
前記支柱に取り付けられた前記棚受部材の前記横片部に懸架される棚板と、
前記棚受部材に固定されるカバー本体部と、そのカバー本体部に連なり前記棚板を押える棚板押え部と、前記カバー本体部に前記支柱の前記挿通孔に挿通される固定突起部とを有する押えカバーとを備え、
前記支柱に取り付けられた前記棚受部材に前記押えカバーが固定されて、前記固定突起部が前記支柱の前記挿通孔に挿通され、前記支柱の前記挿通孔を形成する前記壁部に前記固定突起部が当接することにより、前記壁部の当接面をストッパー面として、前記棚受部材が前記支柱から脱着することが防止されたことを特徴とする棚板取付構造。
【請求項２】
前記押えカバーは、前記支柱の前記挿通孔に挿通される固定突起部材が着脱自在に取り付けられる固定突起取付部を有し、前記押えカバーの前記固定突起部は、前記押えカバーに取り付けられた前記固定突起部材である請求項１に記載の棚板取付構造。
【請求項３】
前記棚受部材には、前記押えカバーの前記固定突起部が挿入される固定突起挿入孔が形成された請求項１または２に記載の棚板取付構造。
【請求項４】
前記押えカバーの裏面には、前記棚受部材に固定されるために突出形成されたカバー係止突部が形成され、
前記棚受部材は、前記カバー係止突部が挿入されて係止されるカバー係止突部挿入孔が形成された請求項１ないし３のいずれか１項に記載の棚板取付構造。
【請求項５】
前記支柱に形成された前記挿通孔は、長手状に、長手方向の一端から他端へその挿通孔の幅が狭くなるように形成され、
前記棚受部材の前記棚受係止突部を、幅広の一端から挿通して他端方向へ移動させることにより、前記棚受部材を前記支柱に取り付ける請求項１ないし４のいずれか１項に記載の棚板取付構造。
【請求項６】
前記支柱は、前記側面の前記挿通孔の並びに沿ってガイド溝を有し、
前記棚受部材は、前記ガイド溝にガイドされるガイド突部を前記縦片部の裏面に有する請求項１ないし５のいずれか１項に記載の棚板取付構造。
【発明の詳細な説明】
【技術分野】
【０００１】
本発明は、支柱に棚板を懸架する棚板取付構造に関する。
【背景技術】
【０００２】
物品を載置するために、棚板を備える収納棚が知られている。この例として、左右に立設する一対の側板と、この側板に水平に配置される棚板及びハンガー掛部とを備える構造のクローゼットが知られている。また、前後左右に立設する複数の支柱に複数の横桟部材を取り付けてクローゼット用立体枠を組み立て、このクローゼット用立体枠に複数の棚板やバスケット等の収納部材を多段状に取り付けたり、あるいはハンガー吊下げ用バーを掛け渡す構造のクローゼットもある。
【０００３】
また支柱や棚板などを組み合わせてユーザ自身が組み立てるように構成されたシステムラック等の収納棚も知られている（例えば、特許文献１）。これらの収納棚は、棚の位置等をユーザの使用状況に合わせて変えられるものがある。
【０００４】
【特許文献１】特開２００１−１６１４５６号公報
【発明の開示】
【発明が解決しようとする課題】
【０００５】
しかしながら棚の位置を容易に変えられる構造の収納棚は、棚が外れやすいという問題点があった。本発明の課題は、収納棚において、物品を載置するための棚の取付位置を容易に変えられると共に、安定して棚板を固定する棚板取付構造を提供することにある。
【課題を解決するための手段及び発明の効果】
【０００６】
上記課題を解決するための本発明の棚板取付構造は、
床面に立設され、上下方向に所定の間隔を隔てて形成された挿通孔を側面に有する複数の支柱と、
その支柱の挿通孔に挿通されてその挿通孔を形成する壁部に係止される棚受係止突部を裏面に有する縦片部と、その縦片部の下端に連なる横片部とによって断面略Ｌ字状に形成され、支柱に取り付けられる棚受部材と、
支柱に取り付けられた棚受部材の横片部に懸架される棚板と、
棚受部材に固定されるカバー本体部と、そのカバー本体部に連なり棚板を押える棚板押え部と、カバー本体部に支柱の挿通孔に挿通される固定突起部とを有する押えカバーとを備え、
支柱に取り付けられた棚受部材に押えカバーが固定されて、固定突起部が支柱の挿通孔に挿通され、支柱の挿通孔を形成する壁部に固定突起部が当接することにより、壁部の当接面をストッパー面として、棚受部材が支柱から脱着することが防止されたことを特徴とする。
【０００７】
上記構成によれば、複数の支柱に棚受部材を取り付け、その棚受部材を介して棚板を取り付けることができる。そして、棚受部材に押えカバーを固定することにより、押えカバーの棚板押え部により、棚板が棚受部材から外れることを防ぐことができる。またカバー裏面から突出する固定突起部が支柱の挿通孔を形成する壁部に当接し、これによって棚受部材が支柱から外れることを防ぐことができる。
【０００８】
押えカバーは、支柱の挿通孔に挿通される固定突起部材が着脱自在に取り付けられる固定突起取付部を有し、押えカバーの固定突起部は、押えカバーに取り付けられた固定突起部材であるように構成することもできる。つまり押えカバーの固定突起取付部に固定突起部材（例えば、ねじ、ピン等）を取り付けることにより、固定突起部材によって固定突起部を構成することもできる。固定突起部材は、押えカバーの固定突起取付部に着脱自在に取り付けられるため、固定突起部材を外して、棚板及び棚受部材を支柱から容易に取り外すことができる。
【０００９】
さらに棚受部材は、押えカバーの固定突起部が挿入される固定突起挿入孔が形成された構造とすることもできる。押えカバーの固定突起部が棚受部材を貫通する位置に固定突起挿入孔が形成されることにより、固定突起部は、支柱の挿通孔に挿通される。このように構成することにより、押えカバーと棚受部材とが、一体としてより強固に固定される。
【００１０】
そして、押えカバーの裏面には、棚受部材に固定されるために突出形成されたカバー係止突部が形成され、
棚受部材は、カバー係止突部が挿入されて係止されるカバー係止突部挿入孔が形成された構造とすることができる。押えカバーの裏面にカバー係止突部を形成し、棚受部材にカバー係止突部挿入孔が形成されることにより、押えカバーを棚受部材に係止することができる。
【００１１】
より具体的には、支柱に形成された挿通孔は、長手状に、長手方向の一端から他端へその挿通孔の幅が狭くなるように形成され、棚受部材の棚受係止突部を、幅広の一端から挿通して他端方向へ移動させることにより、棚受部材を支柱に取り付けるように構成することができる。このよう構成することにより、棚受部材の着脱を容易にすることができる。
【００１２】
或いは、棚受部材の棚受係止突部は、縦片部の裏面から突出して先端が下方に向いた形で形成され、支柱の挿通孔を形成する下側の壁部に係止されるように形成してもよい。このように形成することにより、棚受部材を容易に支柱に取り付けることができる。このような形状の棚受係止突部により係止した場合には、棚受部材に上向きの力が印加されることにより、棚受部材が支柱から外れやすくなるが、上記構成のように、固定突起部材が、支柱の壁部（挿通孔を形成する上側の壁部）に当接することにより、壁部がストッパーとなって、棚受部材が支柱から外れることが防がれる。
【００１３】
さらに支柱は、側面の挿通孔の並びに沿ってガイド溝を有し、
棚受部材は、ガイド溝にガイドされるガイド突部を縦片部の裏面に有する構造とすることができる。このような構造とすることにより、棚受部材の傾きを防ぐことができ、より安定して棚受部材が支柱に取り付けられる。
【発明を実施するための最良の形態】
【００１４】
以下図面を参照しつつ本発明の実施の形態について説明する。図１は、本発明の一実施形態としての棚板取付構造１を示す。収納棚の支柱３２は、側面の中央に、上下方向に沿って所定の間隔をあけて複数の挿通孔３５が穿設され、その両側に上下方向に沿ってガイド溝３６が形成されている。そして、支柱３２の側面に、棚受部材５が係止され、その棚受部材５に棚板４５が載置されて、棚板４５と棚受部材５とを抑える押えカバー２１が取り付けられる。押えカバー２１の裏面に形成された固定突起部２８は、挿通孔３５を形成する上側壁部３７ａの壁面３８に当接して（図８（ｄ）参照）、棚受部材５及び棚板４５が支柱３２から外れることを防ぐ。このようにして、棚受部材５を介して支柱３２に懸架された棚板４１に物品を載置することができる。
【００１５】
棚板取付構造を備える収納棚の一実施形態を図２に示す。収容棚３１は、壁面に沿って形成されて設置されており、複数の支柱３２と、それぞれの支柱３２の上方に取り付けられた天板設置部材４１と、その天板設置部材４１によって支柱間に懸架された天板４２とを含む。
【００１６】
壁面の所定の高さにはレールが固定され、先端部に連結固定部材４１ａを有する天板設置部材４１が支柱３２に取り付けられて、その連結固定部材４１ａが壁面に固定され、支柱３２の底面が床面に固定されて、壁面から所定の距離離れた位置に支柱２が立設されている。
【００１７】
支柱３２の下端には、貫通孔が形成されたベース部材５１が備えられており、貫通孔にアンカーボルトを挿入して支柱をアンカー止めしている。また支柱３２の下端近傍にアジャスタ部４４が形成されており、アジャスタ部４４のナットを回転させることにより、支柱の高さを調整することができる。
【００１８】
収納棚３１の支柱３２には、バー４６が取り付けられ、さらにそのバー４６にハンガー掛け４７が取り付けられている。支柱３２の下方には、棚板４５が棚受部材５を介して取り付けられている。
【００１９】
図３（ａ）に棚受部材５の裏面の要部、図３（ｂ）に図３（ａ）のＡ−Ａ断面図を示す。棚受部材５は、支柱３２の側面に沿って取り付けられる縦片部６と棚板４５を載置する横片部７とによって断面略Ｌ字状に形成されている。そして縦片部６の裏面には、支柱３２の挿通孔３５に挿通され棚受部材５が支柱３２に係止されるための第１棚受係止突部１５、第２棚受係止突部１６が裏面から突出して形成されている。第１棚受係止突部１５は、先端部に突出方向垂直にフランジ部１５ａが突出形成されている。第１棚受係止突部１５の上方側には、第１挿入孔１１が形成されている。第１挿入孔１１は、固定突起挿入孔であり、押えカバー２１の固定突起部２８が挿入される。さらに第１棚受係止突部１５の両側には、それぞれガイド突部９が裏面から突出する形で形成されている。ガイド突部９が、支柱３２のガイド溝３６に挿入されることにより、棚受部材５の横方向の傾きを防止することができる。
【００２０】
ガイド突部９に隣接して第２挿入孔１２が形成されている。第２挿入孔１２には、カバー係止突部挿入孔であり、押えカバー２１のカバー係止突部２４が係止される。
【００２１】
図４に押えカバー２１の裏面を示す。押えカバー２１は、棚受部材５に沿って取り付けられるカバー本体部２２と棚板４５を押える棚板押え部２３とによって断面略Ｌ字状に形成されている。カバー本体部２２の裏面側には、棚受部材５の第１挿入孔１１及び支柱３２の挿通孔３５に嵌合する形状に固定突起部２８が形成されている。カバー本体部２２の棚受部材５の第２挿入孔１２（図３参照）に対応する位置に、カバー係止突部２４が、爪状に突出形成されている。このように押えカバー２１の両端部領域の２箇所にカバー係止突部２４を形成することにより、棚受部材５の第２挿入孔１２にカバー係止突部２４を挿入して押えカバー２１を棚受部材５に取り付けることができる。
【００２２】
図５に棚板取付構造１の正面図を示す。図５に示すように、支柱３２の挿通孔３５に棚受部材５の第１棚受係止突部１５、第２棚受係止突部１６が係止され、ガイド突部９がガイド溝３６に嵌る形で棚受部材５が支柱３２に取り付けられている。ガイド突部９がガイド溝３６に嵌ることにより、棚受部材５の傾きを防止することができる。
【００２３】
図５における支柱のＢ−Ｂ断面図を図６に示す。支柱３２は、側面に長手方向に開口４０ａが形成され、開口４０ａの内部には、側板配置部４０ｂと係止用空間形成部４０ｃとが形成されている。側板配置部４０ｂには、挿通孔３５が形成された側板３９が嵌合されている。また側面の両端部には、上下方向にガイド溝３６が形成されている。このガイド溝３６に、棚受取付部材５のガイド突部９が嵌ることにより棚受部材５の傾きを防ぐことができる。
【００２４】
図７に側板３９を示す。側板３９には、円形状挿通孔３５ａと、円形状挿通孔３５に連なり、円形状挿通孔３５側が幅広に、他端が幅狭に形成された長手状挿通孔３５ｂとによって構成される挿通孔３５が形成されている。また、側板３９には、ねじ孔５５が形成され、側板３９を支柱３２の側板配置部４０ｂに配置して、ねじによって固定することができる。棚受部材５の第１棚受係止突部１５及び第２棚受係止突部１６を円形状挿通孔３５ａ側から挿通させて、長手状挿通孔３５ｂの幅狭に形成された方の端部へスライドさせることによって、第１棚受係止突部１５及び第２棚受係止突部１６が側板３９に係止される。
【００２５】
図８を用いて、棚板取付構造１における棚板４５の取付工程について説明する。図８は、図５におけるＣ−Ｃ断面図である。図８（ａ）に示すように支柱３２（側板３９）の側面３２ｓに形成された挿通孔３５に、棚受部材５の裏面に形成された第１棚受係止突部１５、第２棚受係止突部１６を挿通する。第１棚受係止突部１５は、円形状挿通孔３５ａ側から挿通され、図８（ｂ）に示すように、棚受部材５を下方へスライドさせる。長手状挿通孔３５ｂは、下方が幅が狭く形成されているため、第１棚受係止突部１５の先端部のフランジ部１５ａが側板３９によって係止される。このとき縦片部６は、側面３２ｓに密着して取り付けられる。次に、図８（ｃ）に示すように、棚受部材５の横片部７に棚板４５を載置する。
【００２６】
続いて図８（ｄ）に示すように、押えカバー２１のカバー係止突部２４を棚受部材５の第２挿入孔１２に挿入して棚受部材５に引っ掛ける形態で棚受部材５に取り付ける。このとき棚受部材５のガイド突部９（図３参照）が、支柱３２のガイド溝３６に嵌ることになり、棚受部材５の横方向の傾きが押えられる。さらに、押えカバー２１のカバー本体部２２の裏面によって棚受部材５が押えられ、固定突起部２８の先端は、支柱３２（側板３９）の挿通孔３５を形成する上側壁部３７ａの壁面３８に当接するため、棚受部材５の棚受係止突部８が下側壁部３７ｂから外れることを防ぐことができる。さらに押えカバー２１の棚板押え部２３によって棚板４５を押えることができ、棚板４５が棚受部材５から外れること防ぐことができる。
【００２７】
図９に他の実施例を示す。収納棚の支柱３２は、側面の中央に、複数の挿通孔３５が穿設され、その両側にガイド溝３６が形成されている。そして、支柱３２の側面に、棚受部材５が係止され、その棚受部材５に棚板４１が載置されて、棚板４１と棚受部材５とを抑える押えカバー２１が取り付けられる。さらに押えカバー２１のねじ孔２５には、ねじ２９が挿入される。ねじ２９は、挿通孔３５を形成する上側壁部３７ａの壁面３８に当接して（図１２（ｄ）参照）、棚受部材５及び棚板４５が支柱３２から外れることを防ぐ。
【００２８】
図１０に棚受部材５の裏面の要部を示す。棚受部材５は、支柱３２の側面に沿って取り付けられる縦片部６と棚板４５を載置する横片部７とによって断面略Ｌ字状に形成されている。そして縦片部６の裏面には、支柱３２の挿通孔３５に挿通され棚受部材５が支柱３２に係止されるための棚受係止突部８が裏面から突出し、その先端部が下方に曲がる形態で形成されている。また棚受係止突部８に隣接して第３挿入孔１３が形成されている。棚受係止突部８の上方側には、第１挿入孔１１が形成されている。第１挿入孔１１は、固定突起挿入孔であり、ねじ２９が挿入される。さらに棚受係止突部８の両側には、それぞれガイド突部９が裏面から突出する形で形成されている。ガイド突部９が、支柱３２のガイド溝３６に挿入されることにより、棚受部材５の横方向の傾きを防止することができる。
【００２９】
ガイド突部９に隣接して第２挿入孔１２が形成されている。第２挿入孔１２には、カバー係止突部挿入孔であり、押えカバー２１のカバー係止突部２４が係止される。
【００３０】
なおガイド突部９は、棚受係止突部８の両側に、２箇所ずつ形成されているが、両側に１箇所ずつ形成する構造としてもよい。また固定突起部材として、ねじ２９のかわりにピン等を用いて、第１挿入孔にピン等を挿入するように構成してもよい。
【００３１】
図１１に押えカバー２１の裏面を示す。押えカバー２１は、棚受部材５に沿って取り付けられるカバー本体部２２と棚板４５を押える棚板押え部２３とによって断面略Ｌ字状に形成されている。カバー本体部２２の棚受部材５の第２挿入孔１２（図１０参照）に対応する位置に、カバー係止突部２４が、その先端部が下方に曲がる形態で形成されている。形成されている。このように押えカバー２１の両端部領域の２箇所にカバー係止突部２４を形成することにより、棚受部材５の第２挿入孔１２にカバー係止突部２４を挿入して押えカバー２１を棚受部材５に取り付けることができる。
【００３２】
図１２を用いて、棚板取付構造１における棚板４５の取付工程について説明する。図１２（ａ）に示すように支柱３２の側面３２ｓに形成された挿通孔３５に、棚受部材５の裏面に形成された棚受係止突部８を挿通して支柱３２の挿通孔３５を形成する下側壁部３７ｂに引っ掛ける形態により棚受部材５を支柱３２に取り付ける。棚受係止突部８は、縦片部６から突出して先端が下向きに形成されているため、支柱３２の下側壁部３７ｂに係止される形で棚受部材５を取り付けることができる。このとき縦片部６は、支柱３２の側面３２ｓに密着して取り付けられる。次に、図１２（ｂ）に示すように、棚受部材５の横片部７に棚板４５を載置する。
【００３３】
続いて図１２（ｃ）に示すように、押えカバー２１のカバー係止突部２４を棚受部材５の第２挿入孔１２に挿入して棚受部材５に引っ掛ける形態で棚受部材５に取り付ける。このとき棚受部材５のガイド突部９（図１０参照）が、支柱３２のガイド溝３６に嵌ることになり、棚受部材５の横方向の傾きが押えられる。さらに図１２（ｄ）に示すように、棚受部材５の第１挿入孔１１と押えカバー２１のねじ孔２５にねじ２９を挿入して、棚受部材５と押えカバー２１とを一体として固定する。このとき、押えカバー２１のカバー本体部２２の裏面によって棚受部材５が押えられ、ねじ２９の先端は、支柱３２の挿通孔３５を形成する上側壁部３７ａの壁面３８に当接するため、棚受部材５の棚受係止突部８が下側壁部３７ｂから外れることを防ぐことができる。さらに押えカバー２１の棚板押え部２３によって棚板４５を押えることができ、棚板４５が棚受部材５から外れること防ぐことができる。
【００３４】
図１３に棚板取付構造の他の実施例を示す。本実施例においては、押えカバー２１のカバー本体部２２の上端面２６が支柱３２の挿通孔３６のストッパー面とされる壁面３８よりも低い位置に形成され、押えカバー２１に取り付けられたねじ２９は、棚受部材５に挿入されずに壁面３８に当接している。このような構造としても、押えカバー２１は、カバー係止突部２４によって棚受部材５に固定されるとともに、棚受部材５に第１挿入孔１１を形成する工程を省くことができる。
【００３５】
以上に説明したように、本発明の棚板取付構造１によれば、支柱３２に取り付けられた棚受部材５に棚板４５が懸架され、押えカバー２１によって棚板４５が固定されるとともに、押えカバー２１に形成された固定突起部２８または押えカバー２１に取り付けられたねじ２９、ピン等の固定突起部材によって、棚受部材５が支柱３２から脱着することが防がれる。すなわち、押えカバー２１によって棚板４５や棚受部材５を容易に脱着しない状態で固定することができる。
【図面の簡単な説明】
【００３６】
【図１】本発明の棚板取付構造を示す図。
【図２】棚板取付構造を用いた収納棚の実施例を示す図。
【図３】棚受部材を示す図。
【図４】押えカバーを示す図。
【図５】棚板取付構造の正面図。
【図６】支柱の断面図。
【図７】側板に形成される挿通孔を示す図。
【図８】棚板の取付工程を説明する図。
【図９】本発明の棚板取付構造の第２実施例を示す図。
【図１０】棚受部材の第２実施例を示す図。
【図１１】押えカバーの第２実施例を示す図。
【図１２】第２実施例における棚板の取付工程を説明する図。
【図１３】棚板取付構造の他の実施例を示す図。
【符号の説明】
【００３７】
１    棚板取付構造
５    棚受部材
６    縦片部
７    横片部
９    ガイド突部
１１    第１挿入孔（固定突起挿入孔）
１２    第２挿入孔（カバー係止突部挿入孔）
２１    押えカバー
２２    カバー本体部
２３    棚板押え部
２４    カバー係止突部
２５    ねじ孔（固定突起取付部）
２８    固定突起部
２９    ねじ
３２    支柱
３５    挿通孔
３７ａ  上側壁部
３７ｂ  下側壁部
３８    壁面
【図１】
2006345943.tif 000003
【図２】
2006345943.tif 000004
【図３】
2006345943.tif 000005
【図４】
2006345943.tif 000006
【図５】
2006345943.tif 000007
【図６】
2006345943.tif 000008
【図７】
2006345943.tif 000009
【図８】
2006345943.tif 000010
【図９】
2006345943.tif 000011
【図１０】
2006345943.tif 000012
【図１１】
2006345943.tif 000013
【図１２】
2006345943.tif 000014
【図１３】
2006345943.tif 000015